(57)【要約】【課題】本発明は水平使用時や傾斜使用時に、支柱２を常に垂直に調節し、鉄骨材や胴縁及び筋交い等の建築材の吊下が安定し且つ簡単に吊下作業が行えると共に鉄骨材９にワイヤーが接触せず、鉄骨材９のサイズに対応して取付けることが可能となる建築用吊下具を提供することを目的とする。【解決手段】板状の支持台１には、支柱２の下部が蝶番５で連結されると共に一端を固定した円弧状の角度調節板３と支柱２の上部が取付けられ、且つ支柱２が支持台１に対して傾斜可能となり、支柱２の上部には、杆本体４１を水平移動可能に取付け且つ引掛部４２が杆本体４１の一端側に取付けた吊下杆部材４を設け、更に支持台１には、２個のクランプ６の間隔を鉄骨材９のサイズに合せて調節可能なに取付けた構造とする。【選択図】        図１
2005029304.tif 000002
【特許請求の範囲】
【請求項１】
板状の支持台（１）には支柱（２）を傾斜可能に取付け、該支柱（２）の上部には、引掛部（４２）が一端側に取付けられた吊下杆部材（４）を設け、前記支持台（１）には、梁や合掌等の鉄骨材（９）に固定するためのクランプ（６）を取付けて少なくとも構成したことを特徴とする建築用吊下具。
【請求項２】
前記支柱（２）の下部が、蝶番（５）によって前記支持台（１）と連結され、且つ前記支柱（２）の傾斜角度を調節し保持するための円弧状な角度調節板（３）の一端が、前記支持台（１）に固定され、その他端が前記支柱（２）に取付けられた請求項１記載の建築用吊下具。
【請求項３】
前記支柱（２）に滑車（７）が装着された請求項１又は２記載の建築用吊下具。
【請求項４】
前記吊下杆部材（４）が、引掛部（４２）を一端側に取付けると共に中央から他端側に複数個の穴（４１ａ）を穿設した杆本体（４１）と、該杆本体（４１）が水平移動可能に挿入され且つ前記支柱（２）の上部に固着した軸受部（４３）と、その軸受部（４３）から前記穴（４１ａ）へ貫通して長さを保持するためのピン（４４）とから成された請求項１記載の建築用吊下具。
【請求項５】
前記クランプ（６）が前記支持台（１）の両側から対向して２個配置され、前記クランプ（６）が、前記支持台（１）の内側に向けて配置する略コの字状のクランプ本体（６１）と、そのクランプ本体（６１）の下方から螺合させたネジ或いは六角ボルトなどの締付具（６２）と、前記クランプ本体（６１）の上部に固定すると共に前記支持台（１）にスライド自在に取付ける案内板（６３）と、該案内板（６３）を前記支持台（１）に固定する固定具（６４）とから成された請求項１記載の建築用吊下具。
【発明の詳細な説明】
【０００１】
【発明の属する技術分野】
本発明は建物の骨組をする際に、胴縁や筋交い等の建築材を吊下するために使用される建築用吊下具に関する。
【０００２】
【従来の技術】
一般に建物を建築する場合、建物の骨組された後、鉄骨材や胴縁等の建築材を吊下する時には、クレーン車でそれらを吊下させて作業が行われていた。また水平な梁などに電動チェーンブロックや滑車を吊り下げて胴縁や筋交い等の建築材が吊下されたり、吊り上げられたりする場合もあった。
【０００３】
【発明が解決しようとする課題】
しかしながら前記クレーン車は小回りが利かず、且つ広い作業場所の確保が必要であると共に安全確保のための人員も必要であり、しかもリース代が高いものであるため、いつまでも使用できるものではなかった。このため、建物の骨組された後は、電動チェーンブロックや滑車が使用されるが、それらを取付ける際、水平箇所の取付けは余り問題がないが、合掌などの傾斜箇所に電動チェーンブロックや滑車が吊り下げられて建築材を吊下させると、その建築材の吊下状態が不安定になり易く、それを安全に吊下することは難しく、勾配のある合掌に吊下具を取付け、建築材を吊下したりすることは殆ど行われていないのが現状である。
【０００４】
本発明は梁に固定する水平使用時でも、屋根側の勾配のある合掌に固定する傾斜使用時でも、鉄骨材や胴縁及び筋交い等の吊下が安定して且つ簡単に安全な吊下作業が行える建築用吊下具を提供することを目的とする。
【０００５】
本発明の他の目的は鉄骨材にワイヤーが接触しないように吊下位置を調節したり、鉄骨材のサイズに対応させて取付けたりすることが可能となり、且つ傾斜した鉄骨材に対しても支柱を常に垂直に調節出来る建築用吊下具を提供するにある。
【０００６】
【課題を解決するための手段】
本発明は上記現状に鑑みて成されたものであり、つまり、板状の支持台には支柱を傾斜可能に取付け、該支柱の上部には、引掛部が一端側に取付けられた吊下杆部材を設け、支持台には、鉄骨材に固定するためのクランプを取付けて少なくとも構成する。また支柱の下部を蝶番で支持台に連結し、円弧状な角度調節板の一端を支持台に固定させ、その他端を支柱に取付けると良く、また吊下杆部材の杆本体を水平移動可能に取付けたり、２個のクランプの間隔を鉄骨材のサイズに合せて調節可能なものとしても良い。
【０００７】
【発明の実施の形態】
図１〜図３本発明の実施形態を示す図であり、これに基づいて説明する。（１）は板状で金属製の支持台であり、該支持台（１）の中央付近には長手方向と直角な長穴（１１）が２本穿設され、且つ該長穴（１１）の裏面には後述するクランプ（６）の案内板（６３）を挿入するためのガイド溝（１２）が形成されている。（２）は支持台（１）側へ傾斜可能に取付けた金属製角パイプの支柱であり、該支柱（２）の下部は後述する蝶番（５）によって前記支持台（１）の端部と連結され、且つ前記支柱（２）の中間部には水平方向に貫通穴（２１）が図２に示すように穿設され、該貫通穴（２１）には、後述する角度調節板（３）の調節穴（３１）に挿入して固定するためのボルトやナットなどの締結具（２２）が取付けられている。
（３）は支柱（２）の傾斜角度を調節し保持するための円弧状で金属製の角度調節板であり、該角度調節板（３）の下端は支持台（１）に固定し、上端側には複数個の調節穴（３１）が穿設されている。（４）は支柱（２）の上部に取付けた金属製の吊下杆部材であり、該吊下杆部材（４）には、引掛部（４２）を一端側の下方に取付けると共に中央から他端側に複数個の穴（４１ａ）を穿設した金属製パイプの杆本体（４１）と、該杆本体（４１）が水平移動可能に挿入され且つ前記支柱（２）の上部に固着した金属製パイプの軸受部（４３）と、その軸受部（４３）から前記穴（４１ａ）へ貫通して杆本体（４１）を固定するＬ字状のピン（４４）とがある。
尚、前記軸受部（４３）の中央には図示しない穴が穿設されている。また前記穴（４１ａ）は貫通穴である。
【０００８】
（５）は支持台（１）と支柱（２）の下部とに取付けた蝶番である。（６）は後述する鉄骨材（９）に固定するための２個のクランプであり、該クランプ（６）には、前記支持台（１）の両側から対向して配置する略コの字状のクランプ本体（６１）と、そのクランプ本体（６１）の下方から螺合させたネジ或いは六角ボルトなどの締付具（６２）と、前記クランプ本体（６１）の上部に固定し水平方向へ延長させ且つガイド溝（１２）に挿入する案内板（６３）と、該案内板（６３）をスライドさせて対向する前記クランプ（６）の間隔を適宜幅に固定するための固定具（６４）とがある（図２参照）。この固定具（６４）としては、案内板（６３）の下方から長穴（１１）を貫通させるネジと、該ネジに螺合するナットとから成すものを用いると良い。（７）は支柱（２）が傾斜する方向と反対面に装着された滑車であり、（８）は引掛部（４２）に取付ける電動チェーンブロックで、（９）は梁や合掌に使用するＨ形鋼などの鉄骨材である。
【０００９】
次に本発明の使用方法について説明する。先ず本発明品を図４の右側に示す水平な梁の鉄骨材（９）に取付ける場合には、先ず始めにクランプ本体（６１）を外側に広げておき、支持台（１）を鉄骨材（９）の上面に載置する。その後、支柱（２）が鉄骨材（９）の上面の中央に来るように配置させると共にクランプ本体（６１）を図２の矢印のように内側に移動させ、鉄骨材（９）の上部の側面に当てる。そして各締付具（６２）を締付けて支持台（１）が鉄骨材（９）に固定されるのである。この時、固定具（６４）も締込んでおくと良い。また予め支柱（２）が支持台（１）に対して略垂直になる位置の角度調節板（３）の調節穴（３１）にボルトを挿入してナットを螺合させた締結具（２２）で固定しておく。次にピン（４４）を抜き、杆本体（４１）を水平移動させ、引掛部（４２）に電動チェーンブロック（８）を吊下した時にワイヤーが鉄骨材（９）の上部の側面に接触しない余裕を持たせた位置であることを確認して、杆本体（４１）の長さを調節する。そして軸受部（４３）の上部に穿設した図示しない穴と杆本体（４１）の穴（４１ａ）とを合せてからピン（４４）を挿入させる。以上で設置が完了する。その後、電動チェーンブロック（８）或いは図示しない滑車を引掛部（４２）に取付け、該電動チェーンブロック（８）等によって必要な建築材を吊り下げ又は吊り上げれば良い。
【００１０】
又、発明品を図４の左側に示す傾斜する合掌の鉄骨材（９）に取付ける場合には、前記梁の場合と同様にして支持台（１）を鉄骨材（９）の上面に固定させておく。先ず始めに支柱（２）へ取付けた締結具（２２）のナットを緩めてボルトを抜く。次に支柱（２）が垂直になる位置の角度調節板（３）の調節穴（３１）にボルトを挿入し且つナットを螺合させて締結具（２２）で支柱（２）に角度調節板（３）を固定する。更に杆本体（４１）の長さ調節も上記要領で行っておく。そして電動チェーンブロック（８）等を引掛部（４２）に取付け、電動チェーンブロック（８）或いは前記滑車によって必要な建築材を吊り下げ又は吊り上げれば良い。
【００１１】
その後、建築資材の吊下作業が終了し、本発明品を片付ける場合には、先ず電動チェーンブロック（８）等を引掛部（４２）から外す。次に固定具（６４）を緩め、支持台（１）を鉄骨材（９）から外す。そして支柱（２）を手に持って次の移動場所へ移動すれば良い。尚、本発明品には滑車（７）が支柱（２）に設けられているので、必要に応じてワイヤーを使用して小物の建築材を滑車（７）に吊下させても良い。この時、電動チェーンブロック（８）と併用しても良く、且つ単独で使用しても良い。
【００１２】
【発明の効果】
本発明はこのようにさせたことにより、下記に記載する効果を有する。
【００１３】
請求項１のように板状の支持台（１）には支柱（２）を傾斜可能に取付け、該支柱（２）の上部には、引掛部（４２）が一端側に取付けられた吊下杆部材（４）を設け、支持台（１）には、梁や合掌等の鉄骨材（９）に固定するためのクランプ（６）を取付けて少なくとも構成することにより、本発明は梁に固定する水平使用時でも、屋根側の勾配のある合掌に固定する傾斜使用時でも、支柱（２）を常に垂直に配置させ、鉄骨材や胴縁及び筋交い等の建築材の吊下であっても安定して且つ簡単に安全な吊下作業が行えるものとなる。
【００１４】
請求項２のように支柱（２）の下部を蝶番（５）で支持台（１）と連結し、且つ支柱（２）の傾斜角度を調節し保持するための円弧状な角度調節板（３）の一端を支持台（１）に固定し、他端を支柱（２）に取付けることにより、支柱（２）を適宜な角度に傾斜させ且つ保持できるため、合掌に固定する傾斜使用時でも常に支柱（２）を垂直に配置でき、安定した状態で吊下作業が可能となる。
【００１５】
請求項３に示すように支柱（２）に滑車（７）を装着させることにより、小物の建築材を簡単に吊下でき、小回りの利く便利なものとなる。
【００１６】
請求項４に示すように吊下杆部材（４）として、引掛部（４２）を一端側に取付けると共に中央から他端側に複数個の穴（４１ａ）を穿設した杆本体（４１）と、該杆本体（４１）が水平移動可能に挿入され且つ支柱（２）の上部に固着した軸受部（４３）と、その軸受部（４３）から穴（４１ａ）へ貫通して長さを保持するためのピン（４４）とから成すことにより、杆本体（４１）の長さ調節が可能となるので、引掛部（４２）に電動チェーンブロック（８）や滑車を吊下する場合には、ワイヤーが鉄骨材（９）の上部の側面に接触することがなくなり、且つ前記杆本体（４１）の長さ調節はピン（４４）の挿入位置を変えるだけで簡単に行うことが出来るものとなる。従って、鉄骨材（９）のサイズが大きくなっても吊下が可能となる。
【００１７】
請求項５のようにクランプ（６）を支持台（１）の両側から対向して２個配置し、クランプ（６）として、支持台（１）の内側に向けて配置する略コの字状のクランプ本体（６１）と、そのクランプ本体（６１）の下方から螺合させた締付具（６２）と、クランプ本体（６１）の上部に固定すると共に支持台（１）の裏面に配置する案内板（６３）と、該案内板（６３）を支持台（１）に固定する固定具（６４）とから成すことにより、取付ける鉄骨材（９）のサイズに対応させて本発明を簡単に且つ確実に取付けることが出来るものとなる。従って、鉄骨材（９）のサイズが変わっても取付けが出来ると共に前記鉄骨材（９）が配置された場所であればどこにでも取付けが可能なものとなる。
【図面の簡単な説明】
【図１】本発明の実施形態を示す斜視図である。
【図２】本発明の取付け状態を示す説明図である。
【図３】本発明の使用状態を示す斜視図である。
【図４】本発明が梁に固定される水平使用時及び合掌に固定される傾斜使用時の状態を示す説明図である。
【符号の説明】
１  支持台
２  支柱
３  角度調節板
４  吊下杆部材
４１    杆本体
４１ａ  穴
４２  引掛部
４３  軸受部
４４  ピン
５  蝶番
６  クランプ
６１  クランプ本体
６２  締付具
６３  案内板
６４  固定具
７  滑車
９  鉄骨材
【図１】
2005029304.tif 000003
【図２】
2005029304.tif 000004
【図３】
2005029304.tif 000005
【図４】
2005029304.tif 000006